(57)【要約】【課題】簡単に手から外れることなく、通気性及び装着性に優れた衛生的な手指装着具を提供する。【解決手段】  手指装着具１００は、略直方体の握り部１０２と、利用者３０の中指３２と薬指３４を通すための２つの通し穴１１６，１１８を備えた指通し１１２により構成されている。前記指通し１１２は、前記握り部１０２の表面１０２Ａの一方の長辺側に寄った位置に設けられており、装着の際に握り部１０２が手の平３６側に丁度納まるようになる。前記握り部１０２の表面１０２Ａ及び裏面１０２Ｂには、握ったときの通気性を確保し、手の平３６の蒸れを防止するための溝１０４，１０６，１０８が形成されている。更に、前記握り部１０２の略中央部には、長手方向に貫通する貫通孔１１０が設けられ、該貫通孔１１０には、パイプ１２０などが着脱可能に挿嵌される。【選択図】図１
2008043476.tif 000002
【特許請求の範囲】
【請求項１】
長手方向の長さが手の幅とほぼ同等であり、手の平で握ることができる握り体，
該握り体の表面に長手方向に沿って設けられており、中指を含む複数の手指を通すための通し部を有する指通し，
前記握り体の表面に少なくとも一つ以上設けられた溝ないし凹部，
前記握り体の略中央部を、長手方向に貫通する貫通孔，
を備えたことを特徴とする手指装着具。
【請求項２】
前記貫通孔に着脱可能に挿通される挿通体，
を備えたことを特徴とする請求項１記載の手指装着具。
【請求項３】
前記挿通体が、
前記貫通孔に挿通可能な中空のパイプ，
該パイプに封入される封入体，
により構成されることを特徴とする請求項２記載の手指装着具。
【請求項４】
前記挿通体が、
前記貫通孔に着脱可能に挿通される柄を備えた物品ないし用具であることを特徴とする請求項２記載の手指装着具。
【請求項５】
前記握り体が、略長方形かつ略平行な２つの主面を有する形状であるときに、
前記指通しが、前記主面のいずれか一方の長辺寄りに設けられていることを特徴とする請求項１〜４のいずれかに記載の手指装着具。
【請求項６】
前記握り体の大きさを調整可能としたことを特徴とする請求項１〜５のいずれかに記載の手指装着具。
【請求項７】
前記指通しの通し部の大きさを調整可能としたことを特徴とする請求項１〜６のいずれかに記載の手指装着具。
【請求項８】
前記握り体が、弾性を有することを特徴とする請求項１〜７のいずれかに記載の手指装着具。
【請求項９】
前記握り体に、該握り体を握った回数を計数する計数手段を設けたことを特徴とする請求項８記載の手指装着具。
【請求項１０】
前記握り体が、抗菌，防臭，殺菌，除菌，防腐の少なくともいずれかの機能または芳香性を有していることを特徴とする請求項１〜９のいずれかに記載の手指装着具。
【発明の詳細な説明】
【技術分野】
【０００１】
本発明は、手指に装着する手指装着具に関し、更に具体的には、通気性及び装着生の向上と、利用用途の拡大に関するものである。
【背景技術】
【０００２】
病院，養護施設，家庭内などにおいて、手指が自由に動かせない状態にある患者や高齢者，特に重度の痴呆症の患者などは、手を握り締めたままの状態を続けることがある。この状態を続けると、手の平にかいた汗が乾燥しないことから、あせもになったり雑菌が繁殖して臭気を発生したりと、衛生的な状態を保てなくなる。このような手の平の蒸れを防止するために、例えば、以下に示す特許文献１には、疎巻コイルを利用して、その接触面の通気性と内径の通風性を生かし、長時間装着しても手の平が蒸れないようにした握り管が開示されている。また、以下の特許文献２には、パイプ形状の壁に、通気穴をあけ、パイプ形状の内径部に脱脂綿や活性炭などの除湿，殺菌，消臭効果などのあるものを入れ、更に、親指を立てた状態で握ることによって、手の平の衛生を保持し、同時にリハビリ効果も得ることを目的とした介護用手のひらリハビリドライクリーナーが開示されている。
【特許文献１】特開２００２−２０４８０６公報
【特許文献２】実用新案登録第３０７７５４４号公報
【発明の開示】
【発明が解決しようとする課題】
【０００３】
しかしながら、以上のような背景技術には次のような不都合がある。まず、前記特許文献１に記載の技術では、疎巻コイルの握り部分の両端を大きくすることによって握り管が外れにくくなる工夫をしているが、握る力が弱まったときには簡単に外れてしまい、紛失してしまう恐れがある。また、前記特許文献１及び２に記載の技術のいずれも、表面をガーゼや布で覆ったり、内側に脱脂綿を詰めたりすることから、定期的な取替が必要になるため、利用者または該利用者の介護者に負担がかかる。更に、握り部分が中空となっており、強度や耐久性が不十分であるほか、介護用にしか利用することができないという不都合がある。特に、前記背景技術は、手を握り締めたままの状態を続ける際の蒸れ対策を主たる目的としており、手を握る力が弱い人が各種物品や用具を握るための補助具として利用することは考慮されていない。
【０００４】
本発明は、以上の点に着目したもので、その目的は、簡単に手から外れることなく、通気性に優れた衛生的な手指装着具を提供することである。他の目的は、手の平の蒸れ防止のみならず、他の用途にも適用可能な手指装着具を提供することである。
【課題を解決するための手段】
【０００５】
前記目的を達成するため、本発明の手指装着具は、長手方向の長さが手の幅とほぼ同等であり、手の平で握ることができる握り体，該握り体の表面に長手方向に沿って設けられており、中指を含む複数の手指を通すための通し部を有する指通し，前記握り体の表面に少なくとも一つ以上設けられた溝ないし凹部，前記握り体の略中央部を、長手方向に貫通する貫通孔，を備えたことを特徴とする。
【０００６】
主要な形態の一つは、前記貫通孔に着脱可能に挿通される挿通体，を備えたことを特徴とする。他の形態は、前記挿通体が、前記貫通孔に挿通可能な中空のパイプ，該パイプに封入される封入体，により構成されること、あるいは、前記貫通孔に着脱可能に挿通される柄を備えた物品ないし用具であることを特徴とする。
【０００７】
更に他の形態は、(1)前記握り体が、略長方形かつ略平行な２つの主面を有する形状であるときに、前記指通しが、前記主面のいずれか一方の長辺寄りに設けられていること，(2)前記握り体の大きさを調整可能としたこと，(3)前記指通しの通し部の大きさを調整可能としたこと，(4)前記握り体が、弾性を有すること，(5)前記握り体に、該握り体を握った回数を計数する計数手段を設けたこと，(6)前記握り体が、抗菌，防臭，殺菌，除菌，防腐の少なくともいずれかの機能または芳香性を有していることを特徴とする。本発明の前記及び他の目的，特徴，利点は、以下の詳細な説明及び添付図面から明瞭になろう。
【発明の効果】
【０００８】
本発明は、手の幅とほぼ同等の長さの握り体の表面に、長手方向に沿って中指を含む複数の手指を通すための指通しと、少なくとも一つ以上の溝ないし凹部を設け、前記握り体の略中央部を長手方向に貫通する貫通孔を設けて手指装着具を構成することとした。このため、手から容易に外れることなく、通気性及び装着性が良好で衛生的に保つことができるという効果が得られる。また、前記握り体を手の平側あるいは手の甲側のいずれにも装着可能とすることで、手の平の蒸れ防止のみならず、トレーニングや手の平の保護など、他の各種の用途に利用できるという効果がある。更に、前記貫通孔に、パイプや各種物品ないし用具の柄などの挿通体を着脱可能に挿通することで、楽器としての利用や、各種物品ないし用具を保持するための補助具として利用が可能となる。
【発明を実施するための最良の形態】
【０００９】
以下、本発明を実施するための最良の形態を、実施例に基づいて詳細に説明する。
【実施例１】
【００１０】
最初に、図１及び図２を参照しながら、本発明の実施例を説明する。図１(A)は、本実施例の全体構成を示す斜視図，図１(B)は本実施例の側面図，図１(C)は本実施例の使用状態を示す図，図２(D)は本実施例の他の使用状態を示す図である。図２(A)〜(D)は、本実施例の更に他の使用状態を示す図である。図１に示すように、本実施例の手指装着具１００は、略直方体の握り部１０２と、該握り部１０２の表面１０２Ａに設けられた指通し１１２により構成されている。前記握り部１０２の長手方向の長さＬは、利用者３０の手の幅とほぼ同等になるように予め設定されており、幅Ｗと厚みＴは、利用者３０が該握り部１０２を無理なく握ることができる寸法となるように予め設定されている。
【００１１】
また、前記指通し１１２は、前記握り部１０２の長手方向に沿って設けられており、略中央に設けられた仕切り１１４によって、２つの通し穴１１６，１１８が形成されている。これら通し穴１１６，１１８は、利用者３０の中指３２と薬指３４を通して装着するためのものである。なお、該指通し１１２は、前記握り部１０２の表面１０２Ａの一方の長辺に寄った位置に設けられており、これにより使用したときに握り部１１２が手の平３６側に丁度おさまるようになる。指通し１１２は、中指３２と薬指３４が通せる構造のものであればよく、前記仕切り１１４を設けない構造のものとしてもよい。
【００１２】
更に、前記握り部１０２の表面１０２Ａには、溝１０４が長手方向に形成されている。該溝１０４は、中指３２及び薬指３４を通したときの通気性を確保するためのものである。また、前記握り部１０２の裏面１０２Ｂには、長手方向に沿って２つの溝１０６，１０８が略平行になるように形成されており、図示の例では、前記溝１０６の位置は、表面１０２Ａ側の溝１０４とほぼ一致している。前記溝１０６，１０８は、手指装着具１００を装着して握ったときに、通気性を保ち、手の平３６の蒸れを防止するためのものである。また、前記溝１０４，１０６，１０８は、上述した蒸れ防止のほか、握り部１０２が硬い材料で構成されている場合には、これを軟らかくする効果もある。更に、前記握り部１０２には、略中央部を長手方向に貫通する貫通孔１１０が設けられている。該貫通孔１１０は、図示の例では、断面略円形となっており、図１(A)に示すパイプ１２０が着脱可能に挿通される。
【００１３】
以上のような握り部１０２や指通し１１２としては、例えば、木やプラスチック，あるいは、合成ゴムなど公知の各種の材料により構成されるが、握り部１０２と指通し１１２は、必ずしも同じ材料を用いる必要はなく、握り部１０２を木で形成し、指通し１１２を金属で形成するなど、異なる材料を用いるようにしてもよい。本実施例では、前記握り部１０２及び指通し１１２として、弾性を有するシリコンゴムが用いられ、前記パイプ１２０としては、公知の各種の硬質材料で形成されたものが利用される。また、手の平３６の蒸れを防止するための介護用具として利用するという観点から、少なくとも握り部１０２については、抗菌，殺菌，除菌などの機能を備えた材料を利用するようにすると、更に衛生的に保つことができ好都合である。
【００１４】
次に、本実施例の作用を説明する。利用者３０は、（図示の例では右手の）手の平３６が握り部１０２側に向くようにして、指通し１１２の通し穴１１６，１１８に中指３２と薬指３４を通す。このとき、溝１０４が手の平３６側を向くようにすると、指通し１１２が握り部１０２の中心から一方の長辺側（溝１０８側）へ寄った位置に設けられているため、図１(C)に示すように、握り部１２全体が、若干手の平３６寄りに装着される。この状態では、無理なく握り部１０２を握ることができるとともに、溝１０４，１０６，１０８が設けられているため、長時間握り続けていても疲労を感じたり手の平３６や指が蒸れたりすることがない。また、握り部１０２の硬さが足りない場合には、前記貫通孔１１０に、図１(D)に示すように、硬質のパイプ１２０を挿嵌することにより、握り部１０２を硬くすることができる。長期間利用して汚れた場合には、全体を洗うようにすれば常に衛生的に保つことができる。
【００１５】
図２には、前記手指装着具１００の他の使用例が示されている。図２(A)に示す例は、前記パイプ１２０の中に砂１２２を封入したものであって、前記手指装着具１００を振ると音が出る構成となっている。また前記パイプ１２０を変形可能な材質で形成することにより、握り部１０２を強く握ったときに音が出るような構成としてもよい。なお、パイプ１２０の中に封入するものとしては、前記砂１２２のほか、小石やゲルマニウム粒などであってもよい。図２(B)に示す例は、棒状の磁石１２４を貫通孔１１０に挿嵌した例であって、磁石が人体に対して発揮するといわれる効果を取り入れるようにした例である。
【００１６】
図２(C)に示す例は、前記貫通孔１１０に歯ブラシ１２６の柄１２６Ａを挿嵌した例、図２(D)に示す例は、前記貫通孔１１０に筆１２８の軸部１２８Ａを挿嵌した例である。通常、歯ブラシ１２６の柄１２６Ａや、筆１２８の軸部１２８Ａは、１ｃｍ前後の太さであるため、握る力が弱いと取り落としやすい。しかしながら、前記柄１２６Ａや軸部１２８Ａを、手指装着具１００の貫通孔１１０に嵌めて握り部１０２を握ることによって、歯ブラシ１２６や筆１２８を間接的に保持することができる。なお、前記握り部１０２が弾性材料などで形成されていると、前記柄１２６Ａや軸部１２８Ａを回転させて向きを調節することが可能となる。
【００１７】
このように、実施例１によれば、次のような効果がある。
(1)手の幅とほぼ同等の長さの握り部１０２の表面１０２Ａに、中指３２と薬指３４を通す通し穴１１６，１１８を備えた指通し１１２を設けるとともに、前記握り部１０２の表面１０２Ａ及び裏面１０２Ｂに、通気用の溝１０４，１０６，１０８を設けることとしたので、手から容易に外れることなく、手の蒸れを防止して臭気の発生を抑制し、衛生的に保つことができる。また、握り部１０２に硬めの素材を用いた場合も、前記溝１０４，１０６，１０８の形成により軟らかくすることができる
(2)前記握り部１０２の略中央部に、長手方向に貫通する貫通孔１１０を設け、該貫通孔１１０にパイプ１２０を着脱可能に挿嵌することとしたので、前記パイプ１２０の着脱により、握り部１０２の硬さを調節することができる。
(3)前記握り部１０２の貫通孔１１０に、歯ブラシ１２６の柄１２６Ａや、筆１２８の軸部１２８Ａを挿嵌することとしたので、握る力が弱い場合なども、前記歯ブラシ１２６や筆１２８を間接的に保持して使用することができる。
(4)前記指通し１１２を、握り部１０２の表面１０２Ａの長辺の一方寄りに設けることとしたので、装着時に手の平３６に無理なく納め、長時間でも快適に使用することができる。
(5)ガーゼや布などを設ける必要がないため、利用者３０または該利用者３０の介護者の負担を軽減することができる。
【００１８】
なお、本発明は、上述した実施例に限定されるものではなく、本発明の要旨を逸脱しない範囲内において種々変更を加え得ることができる。例えば、以下のものも含まれる。
(1)前記実施例１で示した形状，大きさは一例であり、同様の効果を奏するように適宜変更してよい。材質についても同様に、必要に応じて適宜変更可能である。また、前記実施例１では、握り部１０２として抗菌，殺菌，除菌などの機能を有するものの利用を例示したが、このほかにも、防臭，防腐機能や芳香を発するような材料を利用するなど、必要に応じて適宜変更可能である。
【００１９】
(2)前記実施例１で示した指通し１１２も一例であり、同様の効果を奏するように適宜設計変更可能である。
【００２０】
(3)前記実施例１では、握り部１０２の長手方向に溝を設けることとしたが、これも一例であり、図３(A)に示す手指装着具１００Ａのように、握り部１０２の表面１０２Ａの指に対応する位置に、長手方向と略直交する方向に４つの溝１３０を略平行に形成することにより、指が接触する部分の通気性を更に高めることができる。
【００２１】
(4)前記実施例１で示した溝１０４，１０６，１０８も一例であり、その位置や数は必要に応じて適宜変更してよい。また、図３(B)に示すように、前記溝１０４，１０６，１０８に沿って握り部１０２を切断することにより、大きさを調節するようにしてもよい。
【００２２】
(5)前記実施例１で示した歯ブラシ１２６や筆１２８も一例であり、前記貫通孔１１０に挿通するものとしては、例えば、スプーンやフォークなど、他の公知の各種の物品ないし用具が適用可能である。
【００２３】
(6)前記実施例１では、図１(C)に示すように、溝１０４が手の平３６を向くように，すなわち、手指装着具１００が若干手の平３６寄りになるように装着することによって、手全体で握り、トレーニングや蒸れ防止，あるいは、各種用具や物品を握るための補助具として利用することとしたが、これも一例であり、他の装着方法を妨げるものではない。例えば、図３(C)に示すように、溝１０４，１０６が指の先端に向くように装着すると、手指装着具１００全体が若干指側に装着されるため、主として指のトレーニングなどに利用することが可能である。もちろん、図示しない左手用の手指装着具についても同様である。
【００２４】
(7)前記実施例では、手の平３６の蒸れを防止するための介護用具や、楽器、歯ブラシ１２６や筆１２８を保持するための補助具として本発明の手指装着具を利用することとしたが、これも一例であり、本発明は、介護用具のほか、楽器，トレーニング用具，他の物品ないし用具類を保持するための補助具など、各種用途に適用可能である。
【産業上の利用可能性】
【００２５】
本発明によれば、手の幅とほぼ同等の長さの握り体の表面に、長手方向に沿って中指を含む複数の手指を通すための指通しと、少なくとも一つ以上の溝ないし凹部を設け、前記握り体の略中央部を長手方向に貫通する貫通孔を設けることとしたので、手指装着具の用途に適用可能である。特に、手から容易に外れることなく、通気性が良好で衛生的に保つことができるとともに、装着感にも優れていることから、手の平の蒸れを防止するための介護用具としての用途に好適である。更に、必要に応じて前記貫通孔に挿通体を嵌めることとしたので、各種物品ないし用具のグリップ部分としての用途に好適である。
【図面の簡単な説明】
【００２６】
【図１】本発明の実施例１を示す図であり、(A)は全体構成を示す斜視図，(B)は側面図，(C)は使用状態を示す図，(D)は他の使用状態を示す図である。
【図２】前記実施例１の他の使用状態を示す図である。
【図３】前記実施例１の変形例を示す図である。
【符号の説明】
【００２７】
３０：利用者
３２：中指
３４：薬指
３６：手の平
１００，１００Ａ：手指装着具
１０２：握り部
１０２Ａ：表面
１０２Ｂ：裏面
１０４，１０６，１０８：溝
１１０：貫通孔
１１２：指通し
１１４：仕切り
１１６，１１８：通し穴
１２０：パイプ
１２２：砂
１２４：磁石
１２６：歯ブラシ
１２６Ａ：柄
１２８：筆
１２８Ａ：軸部
１３０：溝
【図１】
2008043476.tif 000003
【図２】
2008043476.tif 000004
【図３】
2008043476.tif 000005
【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
長手方向の長さが手の幅とほぼ同等であり、弾性を有するとともに、手の平で握ることができる略直方体形状の握り体，
該握り体の表面に長手方向に沿って設けられており、中指及び薬指をそれぞれ通すための通し穴を有する指通し，
前記握り体の表裏面に長手方向に沿って設けられており、握り体を握ったときに通気性を保つための複数の溝ないし凹部，
前記握り体の略中央部を長手方向に貫通しており、挿通体が着脱される貫通孔，
を備えており、かつ、
前記指通しを、前記握り体の一方の長辺側に寄った位置に設けることにより、握り体全体が手の平寄りに装着されるようにするとともに、前記溝ないし凹部のいずれかを、前記握り体の表裏でほぼ一致した位置としたことを特徴とする手指装着具。
【請求項２】
前記挿通体が、
前記貫通孔に挿通可能な中空のパイプ，
該パイプに封入される封入体，
により構成されることを特徴とする請求項１記載の手指装着具。
【請求項３】
前記パイプを変形可能な材質で形成し、前記握り体を強く握ったときに音が出るようにしたことを特徴とする請求項２記載の手指装着具。
【請求項４】
前記挿通体が、
前記貫通孔に着脱可能に挿通される柄を備えた物品ないし用具であることを特徴とする請求項１記載の手指装着具。
【請求項５】
前記挿通体が磁石であることを特徴とする請求項１記載の手指装着具。
【請求項６】
前記握り体の大きさ及び／又は前記指通しの通し穴の大きさを調整可能としたことを特徴とする請求項１〜５のいずれかに記載の手指装着具。
【請求項７】
前記握り体が、抗菌，防臭，殺菌，除菌，防腐の少なくともいずれかの機能または芳香性を有していることを特徴とする請求項１〜６のいずれかに記載の手指装着具。
【手続補正２】
【補正対象書類名】明細書
【補正対象項目名】０００５
【補正方法】変更
【補正の内容】
【０００５】
前記目的を達成するため、本発明は、長手方向の長さが手の幅とほぼ同等であり、弾性を有するとともに、手の平で握ることができる略直方体形状の握り体，該握り体の表面に長手方向に沿って設けられており、中指及び薬指をそれぞれ通すための通し穴を有する指通し，前記握り体の表裏面に長手方向に沿って設けられており、握り体を握ったときに通気性を保つための複数の溝ないし凹部，前記握り体の略中央部を長手方向に貫通しており、挿通体が着脱される貫通孔，を備えており、かつ、前記指通しを、前記握り体の一方の長辺側に寄った位置に設けることにより、握り体全体が手の平寄りに装着されるようにするとともに、前記溝ないし凹部のいずれかを、前記握り体の表裏でほぼ一致した位置としたことを特徴とする。
【手続補正３】
【補正対象書類名】明細書
【補正対象項目名】０００６
【補正方法】変更
【補正の内容】
【０００６】
他の形態は、前記挿通体が、
（１）前記貫通孔に挿通可能な中空のパイプ，該パイプに封入される封入体，により構成される，
（２）前記パイプを変形可能な材質で形成し、前記握り体を強く握ったときに音が出るようにする，
（３）前記貫通孔に着脱可能に挿通される柄を備えた物品ないし用具である，
（４）前記挿通体が磁石である，
ことを特徴とする。
【手続補正４】
【補正対象書類名】明細書
【補正対象項目名】０００７
【補正方法】変更
【補正の内容】
【０００７】
更に他の形態は、
（５）前記握り体の大きさ及び／又は前記指通しの通し穴の大きさを調整可能とする，
（６）前記握り体が、抗菌，防臭，殺菌，除菌，防腐の少なくともいずれかの機能または芳香性を有している，
ことを特徴とする。本発明の前記及び他の目的，特徴，利点は、以下の詳細な説明及び添付図面から明瞭になろう。
【手続補正５】
【補正対象書類名】明細書
【補正対象項目名】０００８
【補正方法】変更
【補正の内容】
【０００８】
本発明は、手の幅とほぼ同等の長さの握り体の表面に、長手方向に沿って設けた指通しに中指及び薬指を通して握り体を手の平で握るようにするとともに、前記握り体の表裏面に複数の溝ないし凹部を設け、前記握り体の略中央部を長手方向に貫通する貫通孔を設けて手指装着具を構成することとした。このため、手から容易に外れることなく、通気性及び装着性が良好で衛生的に保つことができるという効果が得られる。また、前記貫通孔に、パイプや各種物品ないし用具の柄などの挿通体を着脱可能に挿通することで、握り体を硬くしたり、楽器としての利用や、各種物品ないし用具を保持するための補助具として利用が可能となる。更に、前記溝ないし凹部のいずれかを、前記握り体の表裏でほぼ一致した位置とすることで、握り体を軟らかくしたり、握り体の大きさを調整することもできる。